【手続補正書】
【提出日】平成18年4月10日(2006.4.10)
【手続補正１】
【補正対象書類名】明細書
【補正対象項目名】特許請求の範囲
【補正方法】変更
【補正の内容】
【特許請求の範囲】
【請求項１】 ビジネスソリューションフレームワークを提供するコンピュータ装置であって、
ワークスペース（２００）を定義する構成モジュールであって、このワークスペース（２００）は、ユーザ（１０４）、ユーザタイプ（１０２）、ビジネスカテゴリ（１０６）、ビジネスアクティビティ（１０８）およびビジネスタスク（１１０）を含むビジネス組織のためのカスタマイズできるアプリケーションソフトウェアの２次元的な提示であり、
前記ユーザ（１０４）は、ワークスペース（２００）へのアクセスを提供する識別可能なエンティティであり、
前記ユーザタイプ（１０２）は、特定のビジネス機能にアクセスする特定のユーザグループを提供するように、ユーザ（１０４）をまとめ、
ビジネスカテゴリ（１０６）は、ビジネスアクティビティ（１０８）をまとめ、
ビジネスアクティビティ（１０８）は、ビジネスタスク（１１０）をまとめ、
ビジネスタスク（１１０）は、特定のビジネス機能を遂行するように、実行可能なプログラム、テンプレートまたはバッチファイルの少なくとも１つを備え、特定の順序、引き数およびログオン情報を使用してワークスペース（２００）から開始することができる、構成モジュールと、
前記定義されたワークスペース（２００）を表示する提示モジュールであって、前記ビジネスアクティビティ（１０８）およびビジネスタスク（１１０）が階層ツリー（２２０）として表示され、ビジネス志向の言語を使用して、前記ビジネスアクティビティ（１０８）を前記ビジネスタスク（１１０）に関連付けることを含む提示モジュールと、
前記提示モジュールに応答して、前記ビジネスタスク（１１０）を開始する実行モジュールとを備えた、コンピュータ装置。
【請求項２】  請求項１において、前記構成モジュールが、さらに、
ユーザ（１０４）を特定するユーザモジュールと、
前記ユーザのタイプ（１０２）を特定するユーザタイプモジュールであって、そのユーザタイプ（１０２）を複数のユーザ（１０４）に関連付け、前記ユーザのタイプ（１０２）を複数のビジネスカテゴリ（１０６）、ビジネスアクティビティ（１０８）およびビジネスタスク（１１０）に関連付けるユーザタイプモジュールと、
前記ビジネスタスク（１１０）を定義するビジネスタスクモジュールと、
前記ビジネスアクティビティ（１０８）を特定し、前記ビジネスアクティビティ（１０８）を複数の前記ビジネスタスク（１１０）または他のビジネスアクティビティ（１０８）に関連付けるビジネスアクティビティモジュールと、
前記ビジネスカテゴリ（１０６）を特定し、前記ビジネスカテゴリ（１０６）を前記ビジネスアクティビティ（１０８）に関連付け、ビジネスカテゴリ（１０６）、ビジネスアクティビティ（１０８）およびビジネスタスク（１１０）の階層を形成するビジネスカテゴリモジュールとを備えたコンピュータ装置。
【請求項３】  請求項２において、前記提示モジュールが、さらに、
前記ビジネスカテゴリ（１０６）のグラフィック表示を提示するタブバー（２１８）モジュールと、
前記ビジネスカテゴリ（１０６）、前記ビジネスアクティビティ（１０８）および前記ビジネスタスク（１１０）の階層表示を提示するツリー表示モジュール（２２０）と、
前記ビジネスタスクからの入力および出力を提示する情報表示モジュールと（２２２）、
現在の動作状態および装置状態の表示を含み、前記ビジネスタスク（１１０）に特定の情報を提供するステータスバー（２２４）モジュールと、
前記ワークスペース（２００）に対する命令インタフェースを表示するメニューバー（２１４）モジュールと、
前記命令インタフェースへのショートカットとして使用されるグラフィック表示を提供するツールバー（２１６）モジュールと、
前記ワークスペースに名前付けできるタイトルバー（２１２）モジュールとを備えたコンピュータ装置。
【請求項４】  請求項２において、前記ユーザ（１０４）を特定するユーザモジュールおよび前記ユーザタイプ（１０２）を特定するユーザタイプモジュールが、各ユーザ（１０４）およびユーザタイプ（１０２）を定義できる属性を提供し、前記ワークスペース（２００）のカスタマイズ機能へのアクセスを制御するコンピュータ装置。
【請求項５】  請求項３において、前記ビジネスカテゴリ（１０６）は、前記ビジネスカテゴリ（１０６）のグラフィック表示を使用して、水平方向に表示されるコンピュータ装置。
【請求項６】  請求項３において、前記階層表示（２２０）は、前記ビジネスカテゴリ（１０６）、前記ビジネスアクティビティ（１０８）および前記ビジネスタスク（１１０）のグラフィック表示を使用して、垂直方向に表示されるコンピュータ装置。
【請求項７】  請求項３において、前記ビジネスカテゴリ（１０６）は、前記ビジネスカテゴリ（１０６）のグラフィック表示を使用して、水平方向に表示され、
前記階層表示（２２０）は、前記ビジネスカテゴリ（１０６）、前記ビジネスアクティビティ（１０８）および前記ビジネスタスク（１１０）のグラフィック表示を使用して、垂直方向に表示されるコンピュータ装置。
【請求項８】  請求項３において、前記ビジネスタスク（１１０）は、市販またはカスタマイズされたソフトウェアアプリケーションおよび希望する機能を実行するテンプレートから形成され、前記ワークスペース（２００）内のウィンドウで実行するアプリケーションおよび前記ワークスペース（２００）とは別個のウィンドウで実行するアプリケーションを含むコンピュータ装置。
【請求項９】  請求項１において、さらに、化学プロセス工業のユーザ向け製造管理ワークスペース（２００）を提供するコンピュータ装置であって、
前記ビジネスカテゴリ（１０６）が、計画およびスケジュール作成、製造の実行、製造の会計処理、最新のプロセスコントロールおよびエンジニアリングを含み、
前記ビジネスアクティビティ（１０８）が、長期計画、中期計画およびスケジュール作成を含み、それぞれ複数のビジネスカテゴリ（１０６）に関連付けされたコンピュータ装置。
【請求項１０】  ビジネスソリューションフレームワークを提供する方法であって、
（ａ）ワークスペース（２００）を構成する工程であって、このワークスペース（２００）は、ユーザ（１０４）、ユーザタイプ（１０２）、ビジネスカテゴリ（１０６）、ビジネスアクティビティ（１０８）およびビジネスタスク（１１０）を含むビジネス組織のためのカスタマイズできるアプリケーションソフトウェアの２次元的な提示であり、
前記ユーザ（１０４）は、ワークスペース（２００）へのアクセスを提供する識別可能なエンティティであり、
前記ユーザタイプ（１０２）は、特定のビジネス機能にアクセスする特定のユーザグループを提供するように、ユーザ（１０４）をまとめ、
ビジネスカテゴリ（１０６）は、ビジネスアクティビティ（１０８）をまとめ、
ビジネスアクティビティ（１０８）は、ビジネスタスク（１１０）をまとめ、
ビジネスタスク（１１０）は、特定のビジネス機能を遂行するように、実行可能なプログラム、テンプレートまたはバッチファイルの少なくとも１つを備え、特定の順序、引き数およびログオン情報を使用してワークスペース（２００）から開始することができる、ワークスペースを構成する工程と、
（ｂ）前記定義されたワークスペース（２００）を提示する工程であって、前記ビジネスアクティビティ（１０８）およびビジネスタスク（１１０）が階層ツリー（２２０）として表示され、前記ビジネスアクティビティ（１０８）を、ビジネス志向の言語を使用して前記ビジネスタスク（１１０）に関連付けることを含む、前記定義されたワークスペースを提示する工程と、
（ｃ）前記定義されたビジネスタスク（１１０）を実行する工程とを備えた、ビジネスソリューションフレームワークを提供する方法。
【請求項１１】  請求項１０において、ワークスペース（２００）を構成する工程が、さらに、
（ａ）ユーザ（１０４）を特定する工程と、
（ｂ）ユーザタイプ（１０２）を作成し、そのユーザタイプ（１０２）を複数の前記ユーザ（１０４）に関連付け、前記ユーザタイプ（１０２）を複数の前記ビジネスカテゴリ（１０６）、ビジネスアクティビティ（１０８）およびビジネスタスク（１１０）に関連付けする工程と、
（ｃ）前記ビジネスタスク（１１０）を形成する工程と、
（ｄ）ビジネスアクティビティ（１０８）を特定し、前記ビジネスアクティビティ（１０８）を複数の前記ビジネスタスク（１１０）またはその他の前記ビジネスアクティビティ（１０８）に関連付けする工程と、
（ｅ）前記ビジネスカテゴリ（１０６）を特定し、前記ビジネスカテゴリ（１０６）を前記ビジネスアクティビティに関連付けして、階層がビジネスカテゴリ（１０６）、ビジネスアクティビティ（１０８）およびビジネスタスク（１１０）から形成されるようにする工程とを備えた、ビジネスソリューションフレームワークを提供する方法。
【請求項１２】  請求項１０において、前記定義されたワークスペース（２００）を提示する工程が、さらに、
（ａ）前記ビジネスカテゴリ（１０６）のグラフィック表示を提示する工程と、
（ｂ）前記ビジネスカテゴリ（１０６）、前記ビジネスアクティビティ（１０８）および前記ビジネスタスク（１１０）の階層表示（２２０）を提示する工程と、
（ｃ）前記ビジネスタスク（１１０）からの入力および出力の情報表示を提示する工程と、
（ｄ）現在の動作状態および装置状態の表示を含む前記ビジネスタスク（１１０）に特定の情報を提示する工程と、
（ｅ）前記ワークスペース（２００）への命令インタフェースを提示する工程と、
（ｆ）前記命令インタフェースへのショートカットに使用するグラフィック表示（２１６）を提示する工程と、
（ｇ）前記ワークスペース（２００）の名前（２１２）を提示する工程とを備えた、ビジネスソリューションフレームワークを提供する方法。
【請求項１３】  請求項１１において、前記ユーザ（１０４）を特定する工程と、前記ユーザタイプ（１０２）を作成する工程とが、さらに、
前記ユーザ（１０４）および前記ユーザタイプ（１０２）の各々を定義できる属性を備えて、前記ワークスペース（２００）のカスタマイズ機能へのアクセスを制御する、ビジネスソリューションフレームワークを提供する方法。
【請求項１４】  ビジネスソリューションフレームワークを提供する、組込みのコンピュータ読み込み可能なプログラムコード手段を有するコンピュータ使用可能な記録媒体を備えた製品であって、
（ａ）ワークスペース（２００）を構成する工程であって、このワークスペース（２００）は、ユーザ（１０４）、ユーザタイプ（１０２）、ビジネスカテゴリ（１０６）、ビジネスアクティビティ（１０８）およびビジネスタスク（１１０）を含むビジネス組織のためのカスタマイズできるアプリケーションソフトウェアの２次元的な提示であり、
前記ユーザ（１０４）は、ワークスペース（２００）へのアクセスを提供する識別可能なエンティティであり、
前記ユーザタイプ（１０２）は、特定のビジネス機能にアクセスする特定のユーザグループを提供するように、ユーザ（１０４）をまとめ、
ビジネスカテゴリ（１０６）は、ビジネスアクティビティ（１０８）をまとめ、
ビジネスアクティビティ（１０８）は、ビジネスタスク（１１０）をまとめ、
ビジネスタスク（１１０）は、特定のビジネス機能を遂行するように、実行可能なプログラム、テンプレートまたはバッチファイルの少なくとも１つを備え、特定の順序、引き数およびログオン情報を使用してワークスペース（２００）から開始することができる、ワークスペースを構成する工程と、
（ｂ）前記定義されたワークスペース（２００）を提示する工程であって、前記ビジネスアクティビティ（１０８）およびビジネスタスク（１１０）が階層ツリー（２２０）として表示され、前記ビジネスアクティビティ（１０８）を、ビジネス志向の言語を使用して前記ビジネスタスク（１１０）に関連付けることを含む、前記定義されたワークスペースを提示する工程と、
（ｃ）前記定義されたビジネスタスク（１１０）を実行する工程とを備えた製品。
【請求項１５】  請求項１４において、前記ワークスペースを構成する工程が、さらに、
（ａ）前記ユーザ（１０４）を特定し、
（ｂ）前記ユーザタイプ（１０２）を作成し、前記ユーザタイプ（１０２）を複数の前記ユーザ（１０２）に関連付けし、さらに前記ユーザタイプ（１０２）を複数の前記ビジネスカテゴリ（１０６）、ビジネスアクティビティ（１０８）およびビジネスタスク（１１０）に関連付けし、
（ｃ）前記ビジネスタスク（１１０）を形成し、
（ｄ）前記ビジネスアクティビティ（１０８）を特定し、前記ビジネスアクティビティ（１０８）を複数の前記ビジネスタスク（１１０）またはその他の前記ビジネスアクティビティ（１０８）に関連付けし、
（ｅ）前記ビジネスカテゴリ（１０６）を特定し、前記ビジネスカテゴリ（１０６）を前記ビジネスアクティビティ（１０８）に関連付けして、階層がビジネスカテゴリ（１０６）、ビジネスアクティビティ（１０８）およびビジネスタスク（１１０）から構成されるようにする製品。
【請求項１６】  請求項１４において、前記定義されたワークスペース（２００）を提示する工程が、さらに、
（ａ）前記ビジネスカテゴリ（１０６）のグラフィック表示を提示し、
（ｂ）前記ビジネスカテゴリ（１０６）、前記ビジネスアクティビティ（１０８）および前記ビジネスタスク（１１０）の階層表示（２２０）を提示し、
（ｃ）前記ビジネスタスク（１１０）からの入力および出力の情報表示を提示し、
（ｄ）現在の動作状態および装置状態の表示を含む前記ビジネスタスク（１１０）に特定の情報を提示し、
（ｅ）前記ワークスペース（２００）への命令インタフェースを提示し、
（ｆ）前記命令インタフェースへのショートカットに使用するグラフィック表示（２１６）を提示し、
（ｇ）前記ワークスペース（２００）の名前（２１２）を提示する製品。